(57)【特許請求の範囲】
【請求項１】
既設のコンクリート構造物１において、少なくともその一部を拡張する工法であって、
既設のコンクリート構造物に接近して、縦桁を設置し、
既設のコンクリート構造物に沿って新設コンクリート構造物の少なくともその一部を構築し、
この構築に前後して、既設部分あるいは新設部分、あるいはその両者の重量を、縦桁によって吊り下げて支持し、
その状態で既設のコンクリート構造物を撤去し、撤去と前後して新設のコンクリート構造物を構築して行う、
コンクリート構造物の拡張工法。
【請求項２】
既設のコンクリート構造物において、少なくともその一部を拡張する工法であって、
既設のコンクリート構造物に沿って、新設コンクリート構造物の予定の高さよりも高い位置に縦桁を設置し、
既設のコンクリート構造物に沿って新設コンクリート構造物の少なくともその一部を構築し、
この構築に前後して、既設部分あるいは新設部分、あるいはその両者の重量を縦桁によって吊り下げて支持し、
その状態で既設のコンクリート構造物を撤去し、撤去と前後して新設のコンクリート構造物を構築して行う、
コンクリート構造物の拡張工法。
【請求項３】
既設のコンクリート構造物において、少なくともその一部を拡張する工法であって、
既設のコンクリート構造物に接近して、縦桁を設置し、
既設のコンクリート構造物に沿って新設コンクリート構造物の少なくともその一部を構築し、
この構築に前後して、既設部分あるいは新設部分、あるいはその両者の重量を、縦桁によって吊り下げて支持し、
吊り下げ支持力を、既設のコンクリート構造物の解体に伴う荷重の増加に応じて調整しながら、既設のコンクリート構造物を撤去し、撤去と前後して新設のコンクリート構造物を構築して行う、
コンクリート構造物の拡張工法。
【発明の詳細な説明】
【０００１】
【発明の属する技術分野】
本発明はコンクリート構造物の拡張工法に関するものである。
【０００２】
【従来の技術】
既設のコンクリート構造物において、その中心軸に対して横断する方向に拡張するには従来は次のような工法が採用されている。
既設のコンクリート構造物の使用を中止し、解体、撤去して新たなコンクリート構造物を構築する方法。
既設のコンクリート構造物の使用を続けたまま、既設断面を包囲する状態で新たなコンクリート構造物を構築する方法。
【０００３】
【本発明が解決しようとする課題】
上記したような従来のコンクリート構造物の拡張工法は次のような問題があった。
既設のコンクリート構造物を解体、撤去する方法では、コンクリート構造物の使用を一定期間完全に停止しなければならない。
使用したまま、その周囲を包囲する構造のコンクリート構造物を新たに構築する方法では、必要以上に大きな断面のコンクリート構造物を構築する必要があり不経済である。
【０００４】
【本発明の目的】
本発明は上記したような従来の問題を解決するためになされたもので、既設のコンクリート構造物の使用を中止することなく、かつ不必要に大きな断面のコンクリート構造物を構築する必要のない、経済的なコンクリート構造物の拡張工法を提供することを目的とする。
【０００５】
【課題を解決する手段】
上記のような目的を達成するために本発明のコンクリート構造物の拡張工法は、既設のコンクリート構造物において、少なくともその一部を拡張する工法であって、既設のコンクリート構造物に接近して、縦桁を設置し、既設のコンクリート構造物に沿って新設コンクリート構造物の少なくともその一部を構築し、この構築に前後して、既設部分あるいは新設部分、あるいはその両者の重量を、縦桁によって吊り下げて支持し、その状態で既設のコンクリート構造物を撤去し、撤去と前後して新設のコンクリート構造物を構築して行う、コンクリート構造物の拡張工法を特徴としたものである。
【０００６】
さらに本発明は、既設のコンクリート構造物において、少なくともその一部を拡張する工法であって、既設のコンクリート構造物に沿って、新設コンクリート構造物の予定の高さよりも高い位置に縦桁を設置し、既設のコンクリート構造物に沿って新設コンクリート構造物の少なくともその一部を構築し、この構築に前後して、既設部分あるいは新設部分、あるいはその両者の重量を縦桁によって吊り下げて支持し、その状態で既設のコンクリート構造物を撤去し、撤去と前後して新設のコンクリート構造物を構築して行う、コンクリート構造物の拡張工法を特徴とするものである。
【０００７】
さらに本発明は、既設のコンクリート構造物において、少なくともその一部を拡張する工法であって、既設のコンクリート構造物に接近して、縦桁を設置し、既設のコンクリート構造物に沿って新設コンクリート構造物の少なくともその一部を構築し、この構築に前後して、既設部分あるいは新設部分、あるいはその両者の重量を、縦桁によって吊り下げて支持し、吊り下げ支持力を、既設のコンクリート構造物の解体に伴う荷重の増加に応じて調整しながら、既設のコンクリート構造物を撤去し、撤去と前後して新設のコンクリート構造物を構築して行う、
コンクリート構造物の拡張工法を特徴としたものである。
【０００８】
【本発明の実施の態様】
以下、図面を参照しながら本発明のコンクリート構造物の拡張工法の実施例について説明する。
【０００９】
＜イ＞既設のコンクリート構造物１。
本発明は既設のコンクリート構造物１の内空断面を拡張する工法である。
図面の実施例ではボックスカルバートを、その中心軸に対して横断する方向に断面を拡張する場合について説明するが、ボックスカルバートに限らずひろく既設のコンクリート構造物１の拡張に利用することができる。
既設のコンクリート構造物１は上床版１１と両側の側壁１２、および下の床版１３によって構成してある。
【００１０】
＜ロ＞縦桁の設置。
既設のコンクリート構造物１の一側に沿って、縦桁２を設置する。
そのために、既設のコンクリート構造物１の一方の壁面に沿って２本の支柱２１を立てる。この支柱２１は新設するコンクリート構造物３の範囲外に設置する。その支２１柱の上端に掛け渡した部材が縦桁２である。この縦桁２は鉄筋コンクリートあるいは鋼材によって構成する。
縦桁２の位置は、新設するコンクリート構造物３の予定の高さよりも高い位置に設置する。さらに縦桁２は新設コンクリート構造物３の上部空間に設置する。そうすると縦桁２は新設、および既設のコンクリート構造物から縁を切った構造となる。
しかし既設のコンクリート構造物１の上床版１１の上に２本の支柱２１を立て、その間を縦桁２によって連結する構造を採用することもできる。その場合には縦桁２を既設のコンクリート構造物１の上に、中心軸と平行方向に設置することになる。
【００１１】
＜ハ＞新設コンクリート構造物３の構築。
既設のコンクリート構造物１の外側に、新設コンクリート構造物３の少なくともその一部を一体的３１に構築する。
そしてこの新設部分３１を縦桁２から吊り材２２によって吊り下げて支持する。吊り材２２とはたとえばPC鋼線、鋼棒などである。
【００１２】
＜ニ＞既設のコンクリート構造物１の撤去。
その状態で既設のコンクリート構造物１の側壁１２を撤去する。
この時に、側壁１２撤去によって既設のコンクリート構造物１に不利な応力状態が生じないように、吊り材２２に徐々に緊張力を与える。
側壁１２の一部の撤去によって、上の床版１１は側壁１２から切り離され、縦桁２によって吊り下げられることになる。
この工程で既設のコンクリート構造物１の、該当部分の側壁１２を全部撤去してしまうこともできる。
【００１３】
＜ホ＞新設コンクリート構造物３の構築。
前の工程で新設のコンクリート構造物３の一部だけを構築した場合には、残りの部分の構築を続ける。
こうして既設のコンクリート構造物１の側壁１２を撤去し、その部分に横断方向に拡張した新設コンクリート構造物３の構築が完了する。
新設コンクリート構造物３の構築後に必要があれば吊り材２２の緊張力を再度調整する。
【００１４】
＜ヘ＞縦桁２とコンクリート構造物の一体化。
コンクリート構造物１の拡張が完了したら、縦桁２と上床版１１との間の隙間を、モルタルなどの充填材２３で充填する。
そして吊り材２２に緊張を与えることによって、完成したコンクリート構造物と縦桁２との一体化を図る。
【００１５】
＜ト＞他の実施例。
コンクリート構造物１は図の実施例のように１室断面の構造だけではなく、多室のコンクリート構造物の場合でも本発明の工法を採用することができる。
また矩形断面の構造に限らず、それ以外の断面形状であっても、縦桁２を設置できる形状であれば本発明の工法を採用することができる。
また側壁１２を撤去する場合に限らず、複数の室を備えた断面の場合に、中間の隔壁や柱を撤去する場合にも本発明の工法を採用することができる。
また前記したように縦桁２の設置位置は、新設構造物３の上部空間に限らず、既設コンクリート構造物１の壁面の直上部などに設置することができる。
その場合には縦桁２の支柱２１は、既設のコンクリート構造物１と縁を切った構造である必要はなく、既設のコンクリート構造物１と一体化した構造で支持させることもできる。
【００１６】
【本発明の効果】
本発明のコンクリート構造物の拡張工法は、以上説明したようになるから、次のような効果を達成することができる。
新設構造物を、既設のコンクリート構造物の外側に構築する方法である。したがって、新たに迂回路を設置するような別の付帯工事が不要であることはもちろん、既設構造物の使用を停止する期間はきわめて短くてすみ、きわめて経済的である。
既設の構造物をほとんど撤去する必要がなく、補強も最小限の方法で十分であって、経済的に構築することができる。
縦桁によって構造物を支持する緊張力は自由に増加、低減させることができ、最も安全性の高い状態を維持することができる。
施工段階における安全性が向上するから、不安定な仮設状態を優先して最終構造系で不要となる部材厚などを設定する必要がない。したがって全体として経済的な構造物を構築することができる。
【図面の簡単な説明】
【図１】本発明の施工例の施工順序の説明図。
【図２】施工順序の説明図。
【図３】施工順序の説明図。
【図４】施工途中の状態の断面図。
【図５】施工完了状態の断面図。
【図１】
0004259718.tif 000002
【図２】
0004259718.tif 000003
【図３】
0004259718.tif 000004
【図４】
0004259718.tif 000005
【図５】
0004259718.tif 000006